(57)【要約】【課題】火災などが発生し三方枠の変形が起きてもシャッターカーテンの降下を案内する。【解決手段】エレベータの乗場側開口部に設置される三方枠を構成する一対の縦枠６に設けられ、開口部の側縁に沿って、シャッターカーテンの縁部を支持する溝部２１と、シャッターカーテンの端縁を支持するガイド溝３１を有し、溝部２１の奥方となる縦枠６内部に縦枠６に沿って配設され、ガイド溝３１と溝部２１とが連通するガイドレール３０とを具備する。これにより、シャッターカーテンの端縁を支持し、このシャッターカーテンの開閉移動の案内を行うガイドレール３０が、縦枠６と別体構造で設けられているので、この縦枠６が火災などにより熱変形を起こしても、ガイドレール３０がシャッターカーテンの端縁を支持した状態が継続される。【選択図】　　　　図１
2004001958.tif 000002
【特許請求の範囲】
【請求項１】
エレベータの乗場側開口部に設置される枠体に設けられ、前記開口部に対して開閉を行う開閉体を備えたエレベータ用シャッター装置の構造において、
前記枠体を構成し前記開口部の左右側縁に配設される一対の縦枠の互いに略対向する面に設けられ、前記開口部の側縁に沿って、前記開閉体の縁部を支持する溝部と、
前記開閉体の端縁を支持するガイド溝を有し、前記溝部の奥方となる前記縦枠内部に、該縦枠に沿って配設され、前記ガイド溝と前記溝部とが連通するガイドレールと、
を具備することを特徴とするエレベータ用シャッター装置の構造。
【請求項２】
エレベータの乗場側開口部に設置される枠体に設けられ、前記開口部に対して開閉を行う開閉体を備えたエレベータ用シャッター装置の構造において、
前記枠体を構成し前記開口部の左右側縁に配設される一対の縦枠の互いに略対向する面に設けられ、前記開口部の側縁に沿って、前記開閉体の縁部を支持する溝部と、
該溝部の奥方となる前記縦枠内部に、該縦枠に沿って固設される支持枠と、
前記開閉体の端縁を支持するガイド溝を有し、前記支持枠の内部に、該支持枠に沿って配設され、前記ガイド溝と前記溝部とが連通するガイドレールと、
を具備することを特徴とするエレベータ用シャッター装置の構造。
【請求項３】
請求項１または２記載のエレベータ用シャッター装置の構造において、
前記縦枠の下端における前記溝部の少なくとも一方の側縁及び該側縁の周囲が開閉自在な蓋体にて構成され、前記縦枠の内部が開放自在とされることを特徴とするエレベータ用シャッター装置の構造。
【請求項４】
請求項１または２記載のエレベータ用シャッター装置の構造において、
前記縦枠の下端における前記溝部の少なくとも一方の側縁及び該側縁の周囲が開閉自在な蓋体にて構成されるとともに、前記ガイドレールの下端における前記ガイド溝の少なくとも一方の側縁及び該側縁の周囲が開閉自在な蓋板にて構成され、前記縦枠の内部および前記ガイドレールの内部が開放自在とされることを特徴とするエレベータ用シャッター装置の構造。
【請求項５】
請求項３または４記載のエレベータ用シャッター装置の構造において、
前記縦枠内に位置する少なくとも前記溝部の下方には、床面よりも低くなる凹部が設けられていることを特徴とするエレベータ用シャッター装置の構造。
【請求項６】
請求項４記載のエレベータ用シャッター装置の構造において、
前記ガイドレールの下端に着脱自在な皿状部材が設けられていることを特徴とするエレベータ用シャッター装置の構造。
【請求項７】
請求項５記載のエレベータ用シャッター装置の構造において、
前記凹部には、該凹部に嵌入するとともに着脱自在となる受け箱が設けられていることを特徴とするエレベータ用シャッター装置の構造。
【請求項８】
請求項１，２，３，４，５，６，７のいずれか１つに記載のエレベータ用シャッター装置の構造において、
前記縦枠の下端における前記溝部を除く表面には、荷摺板が装着されていることを特徴とするエレベータ用シャッター装置の構造。
【発明の詳細な説明】
【０００１】
【発明の属する技術分野】
本発明は、エレベータの乗場側の開口部に設置される枠体、所謂三方枠に付設され、この三方枠にて囲まれる開口部の開閉を行うカーテンなどの開閉体を備えたエレベータ用シャッター装置の構造に関するものである。
【０００２】
【従来の技術】
ビルなどの建築物に設けられるエレベータの乗場側における開口部に付設構成させるエレベータ用シャッター装置がある。このシャッター装置は、防火・防煙シャッター装置として付設されるもので、すなわち、エレベータの昇降路による他の階層からの延焼や煙の進入、他の階層への延焼や煙の流出などを抑止することを目的としている。
このシャッター装置によれば、火災などの緊急時に、開口部上方に収納されたシャッターカーテンが自動、或いは手動にて巻き戻されて、三方枠に形成されるガイドレール状のスリット部を降下し、エレベータの乗場扉の手前側全面を覆い、この乗場扉とは別に閉鎖が行われるようになっている。
【０００３】
【発明が解決しようとする課題】
しかしながら、上述したエレベータ用シャッター装置では、三方枠に単純なスリットを形成して、これをシャッターカーテンのガイドレールとし、このシャッターカーテンの開閉時の案内路として構成しており、通常時では、シャッターカーテンは開放した状態、すなわち上方にて巻き取られた収納状態であり、ガイドレール部分であるスリット状の溝が常に露出した状態となっている。このことから、エレベータとしての乗降に使用されることで、スリット部分にゴミや塵埃が入り込み、非常時等に降下するシャッターカーテンの下降動作に支障を来すおそれがある。
【０００４】
また、シャッターカーテンの昇降をガイドする構成として、三方枠に上下方向に連続するスリットを形成したのみであることから、例えば火災などが発生し、屋内における気温（室温）が上昇した場合などに、三方枠が金属製であることから加熱や周囲の温度上昇により熱変形などを起こす場合がある。すなわち、火災などによって三方枠が加熱されると膨張変形を起こし、ガイドレールとなるスリット状部分が拡幅変形を起こして、シャッター装置の動作に支障を来すおそれがある。このようなスリット状部分が、拡幅変形を起こした場合には、シャッターカーテンの端縁が支持されず、抜け落ちてしまい、すなわち降下時に案内されなくなり、開口部の閉塞を行えないこととなって、防火シャッター装置として機能しないこととなる。また、シャッターカーテンが降下し開口部を閉鎖した所謂全閉状態となった後に、加熱されてスリット状部分の拡幅変形が起きた場合には、このスリット状部分からシャッターカーテンの端縁が抜け出てしまい、密閉性が損なわれてしまうこととなって、このことからも防火シャッター装置として機能しないこととなる。
【０００５】
そこで本発明は、上記問題点を解消するために、火災などが発生した際に支障なくシャッターカーテンを降下でき、エレベータ用の開口部を閉塞可能とするとともに、その閉塞状態を保つことができ、かつ、シャッターカーテンの降下を案内するレール部分の保守等を容易に行うことができるエレベータ用シャッター装置の構造を提供することを目的としている。
【０００６】
【課題を解決するための手段】
次に、上記の課題を解決するための手段を、実施の形態に対応する図面を参照して説明する。
この発明の請求項１記載のエレベータ用シャッター装置の構造は、エレベータの乗場側開口部２に設置される枠体４に設けられ、前記開口部２に対して開閉を行う開閉体１５を備えたエレベータ用シャッター装置の構造において、
前記枠体４を構成し前記開口部２の左右側縁に配設される一対の縦枠６の互いに略対向する面に設けられ、前記開口部２の側縁に沿って、前記開閉体１５の縁部を支持する溝部２１と、
前記開閉体１５の端縁を支持するガイド溝３１を有し、前記溝部２１の奥方となる前記縦枠６内部に、該縦枠６に沿って配設され、前記ガイド溝３１と前記溝部２１とが連通するガイドレール３０と、
を具備することを特徴とする。
【０００７】
このエレベータ用シャッター装置の構造によれば、開閉体１５の端縁を支持し、この開閉体１５の開閉移動の案内を行うガイドレール３０が、エレベータの枠体４と別体構造で設けられているので、エレベータの枠体４が変形するようなこと、例えば火災などにより熱変形を起こしても、ガイドレール３０が開閉体１５の端縁を支持した状態が継続され、開閉体１５の開閉動作に支障を来さず、延焼防止のための開閉体閉鎖動作などを行うことが可能となる。また、閉鎖状態の開閉体１５の端縁がガイドレール３０から抜け出ることを防止し、この開閉体１５による密閉性を維持でき、延焼や煙の進入或いは流出の抑止効果を低下させることがない。
【０００８】
請求項２記載のエレベータ用シャッター装置の構造では、エレベータの乗場側開口部２に設置される枠体４に設けられ、前記開口部２に対して開閉を行う開閉体を備えたエレベータ用シャッター装置の構造において、
前記枠体４を構成し前記開口部２の左右側縁に配設される一対の縦枠６の互いに略対向する面に設けられ、前記開口部２の側縁に沿って、前記開閉体１５の縁部を支持する溝部２１と、
該溝部２１の奥方となる前記縦枠６内部に、該縦枠６に沿って固設される支持枠２５と、
前記開閉体１５の端縁を支持するガイド溝３１を有し、前記支持枠２５の内部に、該支持枠に沿って配設され、前記ガイド溝３１と前記溝部２１とが連通するガイドレールと、
を具備することを特徴とする。
【０００９】
このエレベータ用シャッター装置の構造によれば、開閉体１５の端縁を支持し、この開閉体１５の開閉移動の案内を行うガイドレール３０が、乗場側開口部２の枠体４と別体構造で設けられており、また、このガイドレール３０が枠体４に固設された支持枠２５にて支持されて設けられている構成としたので、枠体４が変形するようなこと、例えば火災などにより熱変形を起こしても、その変形が支持枠２５までとなり、ガイドレール３０自体には変形が伝達されず、ガイドレール３０が開閉体１５の端縁を支持した状態が継続され、開閉体１５の開閉動作に支障を来さず、延焼防止のための開閉体閉鎖動作などを行うことが可能となる。また、この支持枠２５を設けた構成とすることで、縦枠６に対するガイドレール３０の配設位置が位置決めされることとなり、縦枠６に形成されている溝部２１とガイドレール３０のガイド溝３１との連通状態が得られやすくなる。
【００１０】
請求項３記載のエレベータ用シャッター装置の構造では、請求項１または２記載のエレベータ用シャッター装置の構造において、
前記縦枠６の下端における前記溝部２１の少なくとも一方の側縁及び該側縁の周囲が開閉自在な蓋体３４にて構成され、前記縦枠６の内部が開放自在とされることを特徴とする。
【００１１】
このエレベータ用シャッター装置の構造によれば、開閉体１５の縁部を支持する溝部２１を備えた縦枠６の下端が、開閉自在な蓋体３４にてその内部が開放自在であることから、溝部２１内に進入してしまうゴミや塵埃などを容易に取り除くことが可能となり、これにより保守点検の作業性などが向上することとなる。
なお、蓋体３４の下縁は、好ましくは床面１ａと略同等とされ、床面を伝って進入するゴミ，塵埃を、床面側に掃き出すことが容易になる。
【００１２】
請求項４記載のエレベータ用シャッター装置の構造では、請求項１または２記載のエレベータ用シャッター装置の構造において、
前記縦枠６の下端における前記溝部２１の少なくとも一方の側縁及び該側縁の周囲が開閉自在な蓋体３４にて構成されるとともに、前記ガイドレール３１の下端における前記ガイド溝３１の少なくとも一方の側縁及び該側縁の周囲が開閉自在な蓋板３７にて構成され、前記縦枠６の内部および前記ガイドレール３０の内部が開放自在とされることを特徴とする。
【００１３】
このエレベータ用シャッター装置の構造によれば、縦枠６の溝部２１及びガイドレール３０のガイド溝３１の各下端が、開閉自在な蓋体３４及び蓋板３７にて、その内部が開放自在であることから、溝部２１やガイドレール３０内に進入してしまうゴミや塵埃などを容易に除去することが可能となり、開閉体１５の閉鎖時における不具合の発生を抑制することができる。
【００１４】
請求項５記載のエレベータ用シャッター装置の構造では、請求項３または４記載のエレベータ用シャッター装置の構造において、
前記縦枠６内に位置し、少なくとも前記溝部２１の下端における床面に凹部３９が設けられていることを特徴とする。
【００１５】
このエレベータ用シャッター装置の構造によれば、溝部２１内に入り込んでしまうゴミや塵埃を、床面よりも下方となる凹部３９内に落とし込むことが可能となり、開閉体１５の閉鎖状態に支障を来す塵埃などの堆積が床面よりも下方で行われ、このことから開閉体１５の閉鎖時における不具合の発生を抑制することができる。そして、保守等の作業時に、この凹部３９内より塵埃等を除去することが可能となる。
【００１６】
請求項６記載のエレベータ用シャッター装置の構造では、請求項４記載のエレベータ用シャッター装置の構造において、
前記ガイドレール３０の下端に着脱自在な皿状部材が設けられていることを特徴とする。
【００１７】
このエレベータ用シャッター装置の構造によれば、ガイドレール３０下端に進入してしまった塵埃やゴミなどを、皿状部材を引き出すことで容易に除去させることが可能となり、保守作業等の作業性が向上することとなる。
【００１８】
請求項７記載のエレベータ用シャッター装置の構造では、請求項１，２，３，４，５，６のいずれか１つに記載のエレベータ用シャッター装置の構造において、
前記縦枠６の下端における前記溝部２１を除く表面には、荷摺板４２が装着されていることを特徴とする。
【００１９】
このエレベータ用シャッター装置の構造によれば、縦枠６の下端表面に、荷摺板４２が装着されていることから、エレベータ利用時における荷物の出入りなどに対する摩擦傷などを防止できる。
【００２０】
【発明の実施の形態】
図１は本発明によるエレベータ用シャッター装置を構成する縦枠及びガイドレールの斜視図、図２は同分解斜視図、図３はエレベータ用シャッター装置の平断面図、図４は同側断面図である。
【００２１】
エレベータの乗場側１の開口部２における乗場扉３の手前には、その開口部２の上縁及び左右側縁を構成する枠体としての三方枠４が設置されている。この三方枠４は、左右一対の縦枠６と上方に略水平となって左右縦枠６に架け渡される上枠５とで構成される。
【００２２】
上枠５には、エレベータ用シャッター装置１０の収納部１１及び駆動部１２が内装され、下面に開閉体としてのシャッターカーテン１５の出入口となるスリット状の開口部１３を有している。収納部１１にはシャッターカーテン１５が巻回状態で収納される。本実施の形態では、シャッターカーテン１５は、シート状のカーテンよりなり、防火・防煙素材とされ、巻取シャフト１４に巻きとられた状態となって収納される。
【００２３】
このシャッターカーテン１５の左右側縁には、図３に示すように、表裏面に突出する形状とされた抜止部材１６が固設され、また、最下縁には図示しないが略パイプ状の縁部材が設けられている。
駆動部１２は、シャッターカーテン１５の巻き上げ・巻き戻しを行う開閉機１７と、シャッターカーテン１５を緊急時に降下（巻き戻し）させる自動閉鎖装置１８とで構成され、巻取シャフト１４に連動連結されている。
【００２４】
三方枠４を構成する各縦枠６は、図３に示すように、建物の壁体７に固定されており、本実施の形態では、それぞれ断面略矩形の中空な略角パイプ形状で、互いに対向する側面板８に、エレベータ用シャッター装置１０の一部を構成する溝部２１が長手方向である垂直方向に沿って形成されている。なお、図２，３，６に示すように、本実施の形態の縦枠６は、建物壁体７に固定される奥側の背面板９と、表出し溝部２１の形成される表面側の側面板８とが、溶接によって一体に構成されている例としている。
【００２５】
この溝部２１は、図１に示すように、縦枠６の側面板８略中央部、好ましくは図３，４に示すように乗場扉３にやや近接した部分に位置し、上枠５下面の開口部１３に対応し、この開口部１３の両端と連通している。また、この溝部２１は、シャッターカーテン１５の縁部が通過可能な溝幅とされるとともに無底の溝とされ、すなわちシャッターカーテン１５の縁部を表裏面のみ支持する略スリット状に形成されており、溝内の両側壁２１ａが、縦枠６の側面板８を縦枠６の内部方向に折曲形成することで得られ、図３に示すように、溝の奥行きとなる各側壁２１ａの幅長は縦枠６の厚さの約１／２とされて構成されている。
【００２６】
縦枠６の上端には、案内部２２が形成されている。この案内部２２は、溝部２１が垂直上方向に延長形成された構造で、溝部２１の両縁部と溝内の側壁２１ａとの略Ｌ字状に形成されて図４に示すように三方枠４の上枠５内に突出している。案内部２２上端は、溝部２１に連続し、溝部２１の側壁２１ａを拡幅するように折曲形成され上方から溝部２１内に導くようなテーパ状に形成されるガイド斜面２２ａが形成されている。
【００２７】
また、縦枠６の下端には、図４，５に示すように開口部２３が形成されている。この開口部２３は、溝部２１の両側縁部及びその周囲に位置し、略矩形状とされ、下縁が床面１ａと略一致して形成される。
なお、本実施の形態の縦枠６は、図５に示すように、乗場側の床面１ａ、すなわち建物としての床仕上げ面に対して下端が埋設状態であり、上記開口部２３の下縁として実際に表出する部分は、床面（床仕上げ面）１ａに略一致した縁部を開口部２３の下縁２３ａとしている。
そして、この開口部２３は、後述する蓋体３４にて閉塞される。
【００２８】
また、縦枠６には、内部に支持枠２５が設けられている。この支持枠２５は、図２に示すように、底板２６と一対の側板２７とで略コ字状に形成されるとともに、開口側の側板両端縁にフランジ状に形成される支持板２８を有し、縦枠６と略同等に長尺に形成されている。そしてこの支持枠２５は、縦枠６の溝部２１の奥方に位置し、支持板２８が溝部２１の両側となって縦枠６に沿い、縦枠６内面に当接するとともに、底板２６が縦枠６の奥側内側面（背面板９）に固着されている。この支持枠２５と縦枠６の固着手段としては、溶接による固定、或いはネジやリベット等を用いて互いが固定される。
【００２９】
なお、この支持枠２５は、縦枠６の溝部２１に沿い、その上端２５ａが縦枠６の案内部２２上端までの長さとされ、この案内部２２の奥側を囲むように構成されるとともに、この案内部２２の幅長に合わせ、支持板２８の上端が切り欠かれており、すなわち、この案内部２２と支持枠上端２５ａとで図１に示すように角筒状に構成されるようになっている。
また、この支持枠２５の下端は、縦枠６の下端において、図５に示すように、縦枠６下端の開口部２３の幅長よりも両側板２７の間隔幅が小さく設定されて構成され、すなわち、上記した縦枠６の開口部２３の幅長は、支持枠２５の両支持板２８先端間の幅長よりも短く設定されており、支持板２８の半部が開口部２３より表出するようになっている。
なお、表出している支持板２８の半部には、後述する蓋体３４を取り付けるためのネジ穴２９が形成されている。
【００３０】
次に、支持枠２５にはガイドレール３０が内装されている。このガイドレール３０は断面略コ字状に形成され、長手方向に沿う略真直なガイド溝３１が一側に形成される。ガイド溝３１は、図２に示すように、開口幅がやや狭められて形成され、すなわち奥拡がり形状となっている。このガイドレール３０は、支持枠２５の内幅と略同等の幅長に形成され、支持枠２５の底板２６に溝底板３２が当接し、支持枠２５の開口側と同方向にガイド溝３１が向いて取り付けられる。なお、このガイドレール３０と支持枠２５とは、強固に固定されず、溝底板３２と底板２６とを数カ所の仮止め、例えばリベットやスポット溶接などで、長手方向の数カ所、例えば上端近傍、下端近傍とこれらの中間位置などのみを断続した略点状として設置時のみ互いが固着した状態として互いが取り付けられ、或いは、互いを固定せずに、嵌合状態で構成される。
また、ガイドレール３０は、支持枠２５よりやや短く、縦枠６と略同等の長さに設定される（図１参照）。
【００３１】
そして、これら縦枠６と支持枠２５とガイドレール３０とは、下端を一致させて立設され、縦枠６の溝部２１の奥方にガイドレール３０が位置し、ガイドレール３０のガイド溝３１と縦枠６の溝部２１とが連通状態となって、エレベータ乗場側１の開口部２における左右側部に設置される。シャッターカーテン１５は、その縁部が溝部２１に支持され、端縁がガイド溝３１にて支持され、昇降移動を案内される。
【００３２】
また、縦枠６の下端に形成される開口部２３には、図５に示すように、蓋体３４が取り付けられる。この蓋体３４は、左右一対で構成され、それぞれ正面板３５とガイド壁板３６とで略Ｌ字状に形成されており、支持枠２５の下端に形成されるネジ穴２９に、ネジ３８を使用して、着脱自在に取り付けられるようになっている。支持枠２５に取り付けられた状態では、それぞれの正面板３５が縦枠６の側面板８表面と面一となり、各ガイド壁板３６が溝部２１の両側壁２１ａと連続するようになっており、両蓋体３４にて溝部２１の下端を構成するようになっている。また、取り外された状態では、縦枠６の内部の支持枠２５の下端内側が覗くことができるようになっている。
【００３３】
この開口部２３より支持枠２５の内側で、ガイドレール３０下端の手前側は、上記した床仕上げ面１ａより窪んだ凹部３９となっている。本実施の形態では、この凹部３９に受け箱４０が嵌入されている（図１１参照）。この受け箱４０は、縦枠６の溝部２１の下端に位置している。受け箱４０は、上記した蓋体３４を取り外すことで、この凹部３９から取り出せるようになっている。
【００３４】
また、本実施の形態では、縦枠６の下端における溝部２１を除く表面、すなわち、図４，６，７に示すように、溝部２１の左右位置には、荷摺板４２が装着されている。この荷摺板４２は、スチール板，ステンレス板やゴム板など、好ましくは難燃性，不燃性の材質よりなり、床面１ａから所定の高さまでの縦枠６下端側を覆い、摩擦傷などの防止を行う。なお、縦枠６に対しては、シート状の磁石やクリップ，面ファスナー，粘着シートや、フックや舌片と穴等を組み合わせた掛け金など着脱が容易な部材にて取り付けられている。
【００３５】
このように構成されたエレベータ用シャッター装置では、シャッターカーテン１５の開閉時には、シャッターカーテン１５の縁部が縦枠６の溝部２１に支持されるとともに、シャッターカーテン１５の端縁がガイドレール３０のガイド溝３１に支持され、昇降移動を案内される。昇降時には、ガイド溝３１内をシャッターカーテン１５の端縁に設けられた抜止部材１６が移動する。ガイドレール３０のガイド溝３１は奥拡がり形状であることから、抜止部材１６によってシャッターカーテン１５は幅方向へ抜け止めされて昇降移動となる。
【００３６】
そして、火災などが起きた際に、三方枠４の縦枠６が加熱により変形を起こしても、縦枠６内にガイドレール３０を別体で設け、このガイドレール３０が縦枠６に対して固定せずに配設されていることから、ガイドレール３０は変形が起こらず、また、シャッターカーテン１５が抜け出てしまうことがなく、これによりシャッターカーテン１５は非常時における開口部２の閉鎖動作を妨げられず、この開口部２の閉鎖を行うことができ、延焼や煙の進入などの被害を抑制することが可能となる。また、降下し閉鎖状態となった後に縦枠６が加熱されることがあっても、ガイドレール３０の変形が起こらないことから、シャッターカーテン１５の端縁がガイドレール３０から抜け出ることを防止し、このシャッターカーテン１５による密閉性を維持でき、例えば火災時などにおける延焼や煙の進入或いは流出の抑止効果を低下させることがない。
【００３７】
また、通常時、シャッターカーテン１５が開放状態であって、溝部２１が表出状態となることで、溝部２１内にゴミや塵埃が進入してしまうことがあっても、床面１ａよりも窪んだ凹部３９に受け箱４０を設けた構成としたので、床面１ａよりも上方へと堆積してしまうことがなく、シャッターカーテン１５の動作に影響がなく、そして、図８，９に示すように荷摺板４２を取り外した後に縦枠６下端の蓋体３４を図１０，１１に示すように取り外し、開口部２３を開放させ、その内部にある受け箱４０を取り出すことで、塵埃等を容易に除去できるので、シャッターカーテン１５の作動、すなわち、非常時の開口部２閉鎖を不完全なものにせず、保守作業を向上させることが可能となる。
【００３８】
さらに、本実施の形態では、縦枠６の下端に荷摺板４２を設けたので、この荷摺板４２が蓋体３４のネジ３８などを表出させない構造とすることができ、意匠性を向上させることが可能となり、かつ、縦枠６に対する摩擦傷などの防止が行われる。
【００３９】
なお、上述した実施の形態では、ガイドレール３０と縦枠６とを、支持枠２５を介して取り付けた構成とし、上記実施の形態では、それぞれを数カ所のスポット溶接などとし仮固定状態とした例を述べたが、これらの取付状態は固定ではなく、互いの変形に追従しないような構造が好ましく、すなわち、縦枠６の熱変形などにより内部に配設されるガイドレール３０も変形してしまうことがないように、嵌合状態などで構成が好ましい。
例えば、支持枠２５の内面等に突起や突条を設け、これら突起或いは突条にてガイドレール３０の支持を行う嵌合構造とし、支持枠２５とガイドレール３０とを一体構造としない構成としたり、同様に、縦枠６に対する支持枠２５の納まり構造も嵌合状態として構成とする。
【００４０】
また、上述した実施の形態では、縦枠６とガイドレール３０との間に支持枠２５を構成した例について説明したが、支持枠２５のない構成としてもよく、縦枠６とガイドレール３０とを一体的に固定させない構造、例えば上記した突起などによる嵌合構造とすれば、同様の効果を得ることができる。
【００４１】
また、上記実施の形態では、縦枠６の下端に開口部２３を設け、蓋体３４を設けた構成としたが、縦枠６内のガイドレール３０の下端を切り欠き、開放する構成とし、ガイドレール３０内の下方まで床面１ａに対して窪んだ凹部３９を設け、塵埃などの受け部分を構成することとしても良い。この場合、縦枠下端の開口部２３を閉塞するＬ字状とした蓋体３４にガイドレール３０の一部を構成する蓋板３７を設け、図１２に示すように、ガイド溝３１をも形成する略コ字状に形成し、縦枠６の溝部２１及びガイドレール３０のガイド溝３１を形成する形状とする。これによれば、図１３及び図１４に示すように、縦枠６内の支持枠２５内及びガイドレール３０内を開放状態とすることが可能となり、このことから、ガイドレール３０内に対してのゴミの進入や塵埃の進入に対するこれらの除去を行うことが可能となる。そして、このような構造とした場合にも、凹部３９内に受け箱４０などを設ける構成とすることで、ゴミや塵埃の除去を容易なものとすることができる。
【００４２】
さらに、上記実施の形態では、蓋体３４の表面に荷摺板４２が取り付けられる構成としたが、この荷摺板４２と開口部２３を閉塞する蓋体３４とを図１５及び図１６に示すように、一体構造として構成することとしても良く、すなわち、蓋体３４の正面板３５が荷摺板４２と兼ねる構造とし、縦枠６に対して着脱自在な構成とする。
【００４３】
また、上記実施の形態では、蓋体３７をネジにて取り付ける構成とした例について述べたが、この蓋体３７を、磁石や掛け金などで着脱自在に取り付けても良く、さらには、この蓋体３７を着脱自在な構造ではなく、縦枠６、或いは支持枠２５に対して蝶番などで連結し、開閉自在な構成としても良い。このような蝶番による開閉自在な構成とすれば、蓋体３７が取り外される構成ではなくなることから、蓋体の紛失などのおそれがなくなる。またこの蓋体を引戸状のスライド式として構成しても良く、この場合は、縦枠６に対して蓋体３７が上方にスライドなどの構成とする。
【００４４】
さらに、上記実施の形態では、縦枠６下端に荷摺板４２を設ける構成とした例について述べたが、摩擦傷などの発生しないようなエレベータであれば、この荷摺板を設けないこととしても良い。
【００４５】
また、上記実施の形態では、縦枠６の下端に形成した開口部２３を、溝部２１の両側にそれぞれ形成した略矩形状の開口部とした例について述べたが、この開口部２３の形状はその他の形状としてもよく、また、溝部２１の一方の側部に形成する構成としても良い。
【００４６】
さらに、上記実施の形態では、溝部２１の下方に形成される凹部３９に受け箱４０を設けた構成としたが、この受け箱４０を設けない構成としても良い。この場合、凹部３９に対して、吸引式の掃除機や圧縮空気の噴射による吹き飛ばしなどの方法を用いることで、塵埃などを取り除くこととする。
【００４７】
また、上記実施の形態では、蓋体３４を取り外し、開口部２３を開放することで受け箱４０を取り出す構成としたが、蓋体３４と受け箱４０とを一体構造としても良い。このような構造とすることで、蓋体３４を取り外すと同時に、塵埃などが収容された受け箱４０を取り出すことができ、作業性を向上させることが可能となる。
【００４８】
また、上記実施の形態では、床面１ａに対して縦枠６，支持枠２５，ガイドレール３０の各下端が埋め込まれた構造の例について述べたが、これらが床面１ａ上に立設する構造であっても、上記同様の効果を得られる。このような構造の場合には、凹部３９の構造としては、縦枠６内における溝部２１の下方やガイド溝３１の下方に床面に窪みを設けることで構成することが可能となる。また、このように床面上に縦枠６等が立設する構造である場合、床面１ａに凹部３９を設けず、着脱自在な皿状部材を溝部２１の下部などに配置する構造とすることで、塵埃などの除去を容易に行うことが可能となる。
【００４９】
さらに、上記実施の形態では、縦枠６の形状を略角パイプ形状とした例について説明したが、この縦枠６の形状は、これに限定されるものではなく、例えば、図１７に示す曲面で構成されるものや図１８に示す斜面で構成されるものなど、意匠性のある構造としても、上記同様に、支持枠２５、ガイドレール３０を備える構造であれば、上記同様の効果が得られるものである。
【００５０】
また、上記実施の形態では、開閉体としてのシャッターカーテン１５をシート状のカーテンとした例について述べたが、短冊板状のスラットで構成されるスラットカーテンやパネル材で構成されるパネルカーテンなどとしても良い。
【００５１】
さらに、巻取式のシャッターカーテン１５の収納構造ではなく、上枠内にてスライドすることで収納を行うシャッター装置として構成しても良い。
【００５２】
また、上記実施の形態では、防火・防煙用にシャッター装置として説明したが、防犯用のシャッター装置としても良い。例えば、開口部をシャッターカーテンが閉鎖している状態において、このシャッターカーテンをこじ開けようと縦枠の溝部に工具などを挿入し溝幅を拡げるようなことをしても、溝部の奥方にガイドレールが別体で構成されていることから、さらにこじ開けるような作業を必要とすることとなり、不正な操作を遅延させることができ、防犯性を向上させることが可能となる。
【００５３】
【発明の効果】
以上説明したように本発明による請求項１記載のエレベータ用シャッター装置の構造は、開閉体の端縁を支持し、この開閉体の開閉移動の案内を行うガイドレールが、エレベータの枠体と別体構造で設けられているので、エレベータの枠体が変形するようなこと、例えば火災などにより熱変形を起こしても、ガイドレールが開閉体の端縁を支持した状態が継続され、開閉体の開閉動作に支障を来さず、延焼防止のための開閉体閉鎖動作などを行うことが可能となる。また、閉鎖状態となった後であっても開閉体の端縁がガイドレールから抜け出ることを防止し、この開閉体による密閉性を維持でき、例えば火災時などにおける延焼や煙の進入或いは流出の抑止効果を低下させることがない。
【００５４】
請求項２記載のエレベータ用シャッター装置の構造によれば、開閉体の端縁を支持し、この開閉体の開閉移動の案内を行うガイドレールが、エレベータの枠体と別体構造で設けられており、また、このガイドレールが枠体に固設された支持枠にて支持されて設けられている構成としたので、エレベータの枠体が変形するようなこと、例えば火災などにより熱変形を起こしても、その変形が支持枠までとなり、ガイドレール自体には変形が伝達されず、ガイドレールが開閉体の端縁を支持した状態が継続され、開閉体の開閉動作に支障を来さず、延焼防止のための開閉体閉鎖動作などを行うことが可能となる。また、この支持枠を設けた構成とすることで、縦枠に対するガイドレールの配設位置が位置決めされることとなり、縦枠に形成されている溝部とガイドレールのガイド溝との連通状態が得られやすくなる。
【００５５】
請求項３記載のエレベータ用シャッター装置の構造によれば、開閉体の縁部を支持する溝部を備えた縦枠の下端が、開閉自在な蓋体にてその内部が開放自在であることから、溝部内に進入してしまうゴミや塵埃などを容易に取り除くことが可能となり、これにより保守点検の作業性などが向上することとなる。
【００５６】
請求項４記載のエレベータ用シャッター装置の構造によれば、縦枠の溝部及びガイドレールのガイド溝の各下端が、開閉自在な蓋体及び蓋板にて、その内部が開放自在であることから、溝部やガイドレール内に進入してしまうゴミや塵埃などを容易に除去することが可能となり、開閉体の閉鎖時における不具合の発生を抑制することができる。
【００５７】
請求項５記載のエレベータ用シャッター装置の構造によれば、溝部内に入り込んでしまうゴミや塵埃を、床面よりも下方となる凹部内に落とし込むことが可能となり、開閉体の閉鎖状態に支障を来す塵埃などの堆積が床面よりも下方で行われ、このことから開閉体の閉鎖時における不具合の発生を抑制することができる。そして、保守等の作業時に、この凹部内より塵埃等を除去することが可能となる。
【００５８】
請求項６記載のエレベータ用シャッター装置の構造によれば、ガイドレール下端に進入してしまった塵埃やゴミなどを、皿状部材を引き出すことで容易に除去させることが可能となり、保守作業等の作業性が向上することとなる。
【００５９】
請求項７記載のエレベータ用シャッター装置の構造によれば、縦枠の下端表面に、荷摺板が装着されていることから、エレベータ利用時における荷物の出入りなどに対する摩擦傷などを防止できる。
【図面の簡単な説明】
【図１】本発明の実施の形態によるエレベータ用シャッター装置を構成する縦枠及びガイドレールを示す斜視図
【図２】同分解斜視図
【図３】同実施の形態のエレベータ用シャッター装置の平断面図
【図４】同側断面図
【図５】同実施の形態における縦枠の下端を示す斜視図
【図６】同実施の形態における縦枠，支持枠及びガイドレールを示す平断面図
【図７】同正面図
【図８】同実施の形態における縦枠，支持枠及びガイドレールの荷摺板を取り外した状態を示す平断面図
【図９】同正面図
【図１０】同蓋体の取り外し状態を示す平断面図
【図１１】同側断面図
【図１２】他の実施の形態における縦枠，支持枠及びガイドレールを示す平断面図
【図１３】同蓋体の取り外し状態を示す平断面図
【図１４】同側断面図
【図１５】他の実施の形態における縦枠，支持枠及びガイドレールを示す平断面図
【図１６】同正面図
【図１７】他の実施の形態のエレベータ用シャッター装置の平断面図
【図１８】他の実施の形態のエレベータ用シャッター装置の平断面図
【符号の説明】
２…開口部
４…枠体（三方枠）
６…縦枠
１５…開閉体（シャッターカーテン）
２１…溝部
２５…支持枠
３０…ガイドレール
３１…ガイド溝
３４…蓋体
３７…蓋板
３９…凹部
４２…荷摺板
【図１】
2004001958.tif 000003
【図２】
2004001958.tif 000004
【図３】
2004001958.tif 000005
【図４】
2004001958.tif 000006
【図５】
2004001958.tif 000007
【図６】
2004001958.tif 000008
【図７】
2004001958.tif 000009
【図８】
2004001958.tif 000010
【図９】
2004001958.tif 000011
【図１０】
2004001958.tif 000012
【図１１】
2004001958.tif 000013
【図１２】
2004001958.tif 000014
【図１３】
2004001958.tif 000015
【図１４】
2004001958.tif 000016
【図１５】
2004001958.tif 000017
【図１６】
2004001958.tif 000018
【図１７】
2004001958.tif 000019
【図１８】
2004001958.tif 000020